(57)【要約】【課題】カメラなどの撮影機器が観察者から視認されにくく、高精度な画像又は映像を撮影可能であり、かつ、意匠性にも優れた撮影機器付き装飾物品を提供する。【解決手段】撮影機器付き装飾物品１００であって、絵柄部２２と、絵柄部２２の非形成部である透過部２４と、を有する装飾層２０と、装飾層２０の背面側に配置された撮影機器２と、を有する。【選択図】図１
2020187641.tif 000002
【特許請求の範囲】
【請求項１】
絵柄部と、前記絵柄部の非形成部である透過部と、を有する装飾層と、
前記装飾層の背面側に配置された撮影機器と、を有する
撮影機器付き装飾物品。
【請求項２】
請求項１に記載の撮影機器付き装飾物品であって、
前記装飾層は、前記絵柄部と前記撮影機器との間に配置された遮蔽部を有し、
前記透過部は、前記絵柄部及び前記遮蔽部の非形成部である
撮影機器付き装飾物品。
【請求項３】
請求項１又は２に記載の撮影機器付き装飾物品であって、
前記撮影機器の撮影対象に光を照射する光源を有する
撮影機器付き装飾物品。
【請求項４】
請求項３に記載の撮影機器付き装飾物品であって、
前記撮影機器は、赤外線カメラであり、
前記光源は、赤外線を発するものである
撮影機器付き装飾物品。
【請求項５】
請求項１から４のいずれか１つに記載の撮影機器付き装飾物品であって、
前記装飾層の背面側に配置され、画像光を発する表示機器を有し、
前記装飾層は、前記透過部を通して前記表示機器からの画像光を表示する画像表示面を有する
撮影機器付き装飾物品。
【請求項６】
請求項１から５のいずれか１つに記載の撮影機器付き装飾物品と、
前記撮影機器により撮影された像と予め登録された像とを照合判定する判定手段と、を有する
認証システム。
【請求項７】
請求項５に記載の撮影機器付き装飾物品と、
前記撮影機器により撮影された像と予め登録された像とを照合判定する判定手段と、を有し、
前記表示機器は、前記判定手段における照合判定の結果を表示する
認証システム。
【発明の詳細な説明】
【技術分野】
【０００１】
本発明は、撮影機器付き装飾物品、及び、撮影機器付き装飾物品を有する認証システムに関する。
【背景技術】
【０００２】
マンション、オフィス等の施設の入退場口や、車両等の内部又は外部や、スマートフォン、タブレット等の電子デバイスなどにおいて、セキュリティ管理又は娯楽を目的として、小型のカメラによる人物の撮影が行われることがある。また、このカメラによる撮影から得られた画像は、施設、車両又は電子デバイスなどにおける認証システムにおいて用いられることがある。このような認証システムでは、撮影により得られた画像と予め登録された画像とを照合し、カメラにより撮影された人物が登録された正規の利用者であるか否かを自動的に判断する。
【０００３】
例えば、特許文献１には、車両の内部において、座席と対面する位置に設置されたカメラによる撮影から得られた画像に基づいて、カメラにより撮影された人物が予め登録された正規の乗員であるか否かを判別し、正規の乗員でない場合には、その旨を警告したり車両の駆動を不可能にしたりする車両用顔認証システムが開示されている。
【０００４】
従来、このような目的で設置されるカメラは外部に露出しており、美観を損ねたり、カメラがあることが不正利用者から一目瞭然であることでセキュリティ上の懸念を生じたりするという問題があった。この問題に対処するものとして、特許文献２には、カメラの前面にハーフミラーを配置することが開示されており、特許文献３には、カメラの前面に光学的に制御された複数の機能層を有する加飾シートを配置することが開示されている。
【先行技術文献】
【特許文献】
【０００５】
【特許文献１】特開２００５−２０２７８６号公報
【特許文献２】特開平５−１６１０３９号公報
【特許文献３】国際公開第２０１８／２１２３４７号
【発明の概要】
【発明が解決しようとする課題】
【０００６】
特許文献２及び３は、カメラを観察者に視認されにくくするための手段を開示する。しかし、これらの手段には、デザインに制約が生じたり、特殊なシートの構造が必要となることから製造コストが高くなったりするという問題がある。さらに、これらの手段のように、カメラの前面に透明性の低いものを配置した場合、カメラによる撮影から得られる画像又は映像が、鮮明性の低いものとなったり、色彩が変化したものとなったりするという問題がある。特に認証システムとしての使用を想定した場合には、高精度な画像又は映像を取得することが求められる。
【０００７】
本発明は、上記の点に鑑み、カメラなどの撮影機器が観察者から視認されにくく、高精度な画像又は映像を撮影可能であり、かつ、意匠性にも優れた、撮影機器付き装飾物品、及び、この撮影機器付き装飾物品を用いた認証システムを提供することを課題とする。
【課題を解決するための手段】
【０００８】
上記課題を解決するため、本発明の撮影機器付き装飾物品は、絵柄部と、前記絵柄部の非形成部である透過部と、を有する装飾層と、前記装飾層の背面側に配置された撮影機器と、を有する。前記装飾層は、前記絵柄部と前記撮影機器との間に配置された遮蔽部を有し、前記透過部は、前記絵柄部及び前記遮蔽部の非形成部であってもよい。
【０００９】
前記撮影機器付き装飾物品は、前記撮影機器の撮影対象に光を照射する光源を有するものであってもよい。前記撮影機器は、赤外線カメラであり、前記光源は、赤外線を発するものであってもよい。
【００１０】
前記撮影機器付き装飾物品は、前記装飾層の背面側に配置され、画像光を発する表示機器を有し、前記装飾層が、前記透過部を通して前記表示機器からの画像光を表示する画像表示面を有するものであってもよい。
【００１１】
本発明の認証システムは、前記撮影機器付き装飾物品と、前記撮影機器により撮影された像と予め登録された像とを照合判定する判定手段と、を有する。また、前記認証システムは、前記撮影機器付き装飾物品と、前記撮影機器により撮影された像と予め登録された像とを照合判定する判定手段と、を有し、前記表示機器は、前記判定手段における照合判定の結果を表示するものであってもよい。
【発明の効果】
【００１２】
本発明によれば、カメラなどの撮影機器が観察者から視認されにくく、高精度な画像や又は映像を撮影可能であり、かつ、意匠性にも優れた、撮影機器付き装飾物品及び認証システムを提供することができる。
【図面の簡単な説明】
【００１３】
【図１】本実施形態の撮影機器付き装飾物品を概略的に示す側面図である。
【図２】本実施形態の撮影機器付き装飾物品を概略的に示す正面図である。
【図３】本実施形態の認証システムを概略的に示す側面図である。
【図４】変形例の撮影機器付き装飾物品を概略的に示す側面図である。
【図５Ａ】変形例の撮影機器付き装飾物品を概略的に示す正面図であり、画像を表示していない状態を示すものである。
【図５Ｂ】変形例の撮影機器付き装飾物品を概略的に示す正面図であり、画像を表示している状態を示すものである。
【図６】変形例の認証システムを概略的に示す側面図である。
【発明を実施するための形態】
【００１４】
以下、図面を参照して、本発明の一実施形態（以下、「本実施形態」という。）について説明する。なお、図面においては、図示と理解のしやすさの便宜上、適宜、縮尺及び縦横の寸法比などを、実物のそれらから変更し誇張している。
【００１５】
なお、以下の説明における「層」、「シート」及び「フィルム」の用語は、呼称の違いのみに基づいて互いから区別されるものではない。例えば「シート」という用語は、層或いはフィルムと呼ばれ得るような部材も含む概念である。
【００１６】
また、以下の説明において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１７】
本実施形態の撮影機器付き装飾物品１００及び認証システム２００について説明する。
【００１８】
図１は、本実施形態の撮影機器付き装飾物品１００を概略的に示す側面図である。図２は、本実施形態の撮影機器付き装飾物品１００を概略的に示す正面図である。
【００１９】
本実施形態の撮影機器付き装飾物品１００は、装飾物品本体１と、装飾物品本体１の背面側に配置された撮影機器２と、を有している。図１に示す例では、撮影機器付き装飾物品１００は、装飾物品本体１を保持する筐体（破線部分）をさらに有しており、装飾物品本体１と筐体とによって、撮影機器付き装飾物品１００の外輪郭が構成されている。この撮影機器２は、撮影機器付き装飾物品１００の外部の撮影対象Ｏを撮影する。本明細書においては、装飾物品本体１又は撮影機器付き装飾物品１００の撮影対象Ｏの側を正面側とし、その反対側を背面側とする。
【００２０】
撮影機器付き装飾物品１００は、撮影機器付き装飾物品１００の外部又は内部に設けられた制御部９０により制御される。制御部９０は、撮影機器付き装飾物品１００と外部機器（図示せず）との間での信号のやりとりを管理統制して、撮影機器付き装飾物品１００を制御する。図１に示す例では、撮影機器付き装飾物品１００の外部に制御部９０が設けられているが、撮影機器付き装飾物品１００の内部に制御部９０が設けられていてもよい。
【００２１】
撮影機器２は、撮影を行うための機器である。撮影機器２は、装飾物品本体１の背面側に配置されており、装飾物品本体１の正面側の撮影対象Ｏを撮影する。この撮影機器２としては、一般的なカメラを用いることができる。撮影機器２によって撮影できる像は、静止画であっても、動画であっても、その両方であってもよい。また、撮影機器２は、赤外線カメラであってもよく、通常のカメラと赤外線カメラとを切り替えて用いることができるものであってもよい。
【００２２】
装飾物品本体１は、装飾が施された板状の物品である。装飾の態様については、特に限定されず、木目調、大理石調、幾何学模様、カーボン調、ストライプ、水玉などの模様を有するものであってもよいし、単色無地のものであってもよい。装飾物品本体１は、例えば、マンション、オフィス等の施設の入退場口の壁材又はパネルや、車両等の内装部材又は外装部材や、スマートフォン、タブレット等の電子デバイスなどである。
【００２３】
装飾物品本体１は、基体１０と、基体１０の上に積層された装飾層２０と、を有する。
【００２４】
基体１０は、光を透過する透明な板状の部材により構成されており、装飾物品本体１の支持基体としての役割を有する。基体１０は撮影対象からの光が撮影機器に到達する経路でもあるため、透明性を有する必要があるが、撮影される像に影響を及ぼさない範囲であれば着色透明であってもよい。基体１０は平面的な板状であってもよいし、二次元や三次元的な曲面を有するものであってもよい。基体１０としては、光を透過し、装飾物品本体１に求められる形状に成形でき、装飾層２０を適切に積層し得るものであればいかなる材料でもよいが、例えば、ポリカーボネート樹脂、アクリロニトリル−ブタジエン−スチレン共重合体（ＡＢＳ）、アクリル樹脂、無機ガラスなどを挙げることができる。基体１０の厚さは、例えば、１ｍｍ以上、１０ｍｍ以下である。
【００２５】
装飾層２０は、基材フィルム２１と、基材フィルム２１上に設けられた絵柄部２２及び遮蔽部２３と、絵柄部２２及び遮蔽部２３の非形成部である透過部２４と、基体１０に接着する接着層２５と、を有する。装飾層２０は、基材フィルム２１と、基材フィルム２１上に設けられた絵柄部２２及び遮蔽部２３と、絵柄部２２及び遮蔽部２３の非形成部である透過部２４と、を有する加飾シートが、接着層２５を介して、又は、直接に、基体１０に積層されたものであってもよい。
【００２６】
基材フィルム２１は、基材フィルム２１上に設けられた絵柄部２２及び遮蔽部２３を適切に支持する。基材フィルム２１は可視光を透過する透明なフィルムであり、撮影機器２による像の撮影に大きな影響を及ぼさない範囲であれば着色透明であってもよい。基材フィルム２１は、例えば、ポリメタクリル酸メチル、ポリカーボネート、アクリロニトリル−ブタジエン−スチレン共重合体（ＡＢＳ）、メタクリル酸メチル−アクリロニトリル−ブタジエン−スチレン共重合体（ＭＡＢＳ、透明ＡＢＳ）などからなるフィルムが挙げられる。基材フィルム２１の厚みとしては、例えば、１０μｍ以上５００μｍ以下である。
【００２７】
絵柄部２２は、装飾物品本体１が表示する絵柄を表示する。絵柄部２２が表示する絵柄としては特に限定されず、木目調、大理石調、幾何学模様、カーボン調、ストライプ、水玉などの模様を有するものであってもよいし、単色無地からなるものであってもよい。絵柄部２２は、例えば、顔料、染料などの各種の着色剤と、各種のバインダー樹脂を含むインキにより形成される。また、絵柄部２２は、蒸着、スパッタリング等の手段で形成される金属薄膜であってもよい。絵柄部２２の厚さは、例えば、０．５μｍ以上、１００μｍ以下である。
【００２８】
遮蔽部２３は、絵柄部２２の基材フィルム２１とは反対側の面、つまり、撮影機器２と絵柄部２２との間に配置されており、撮影対象Ｏからの光が絵柄部２２を透過した後、その光を撮影機器２に到達する前に遮蔽する機能を有する。この遮蔽部２３の機能により、撮影対象Ｏからの光のうち、装飾層２０の透過部２４を透過した光のみが撮影機器２に到達する。そのため、撮影される像の精度が絵柄部２２の影響によって低下することを抑制することができる。遮蔽部２３は、例えば、カーボンブラック等の黒色顔料や酸化チタン等の白色顔料などの可視光に対する吸収性又は反射性が高い着色剤と各種のバインダー樹脂とを含むインキにより形成される。遮蔽部２３の厚さは、例えば、１μｍ以上、２０μｍ以下である。
【００２９】
装飾層２０は、遮蔽部２３を有さないものであってもよい。例えば、絵柄部２２が黒色無地などの可視光透過性が低いものである場合、撮影対象Ｏからの光が絵柄部２２を透過して撮影機器２に到達することが抑制されるため、遮蔽部２３が存在しなくても、高精度な像を得ることができる。しかし、装飾層２０が遮蔽部２３を有する場合であれば、絵柄部２２の表示する絵柄の種類に関わらず、撮影対象Ｏからの光が絵柄部２２を透過して撮影機器２に到達することが抑制されるため、表示する絵柄に制約がかからず、意匠表現の自由度が高くなる。
【００３０】
透過部２４は、絵柄部２２及び遮蔽部２３の非形成部であり、装飾物品本体１に入射する光を透過する。つまり、透過部２４は、撮影対象Ｏからの光が撮影機器２まで到達するための光学的な経路として機能する。図示された例では、装飾層２０の法線方向から観察して、同一の大きさの円形状の透過部２４が正方格子状に配置されている。一例として、直径８０μｍの円形状の透過部２４を正方格子状に２００μｍのピッチで配置することが考えられ、このときの装飾層２０の開口率は約１２．５％である。なお、装飾層２０の開口率は、装飾層２０の法線方向からの観察において、装飾層２０のうちの透過部２４が占める面積の割合であって、（開口率）＝（透過部２４の面積の合計）／（（絵柄部２２の面積の合計）＋（透過部２４の面積の合計））の式を用いて算出される。
【００３１】
装飾層２０の開口率は、十分な量の光を撮影機器２に到達させて精度の良い像を得るため、５％以上となっていることが好ましく、１０％以上となっていることがさらに好ましい。また、装飾層２０の開口率は、絵柄部２２により表示される絵柄の視認性を良好とし、優れた意匠を表現するため、３５％以下となっていることが好ましく、２５％以下となっていることがさらに好ましい。
【００３２】
なお、装飾層２０における透過部２４の配置は、上述のものに限定されない。例えば、装飾層２０における透過部２４の配置は、複数の透過部２４が互いに離間して配置され、その間に連続した絵柄部２２が配置される態様のものであってもよいし、複数の絵柄部２２が互いに離間して配置され、その間に連続した透過部２４が配置される態様のものであってもよいし、絵柄部２２と透過部２４とがいずれもストライプ状に形成され、交互に配置される態様のものであってもよい。
【００３３】
透過部２４の形成方法は、特に限定されない。例えば、透過部２４は、レーザー技術を用いて形成される。レーザー技術を用いる形成方法では、まず、基材フィルム２１上の全面に絵柄部２２及び遮蔽部２３が設けられる。次に、基材フィルム２１上の透過部２４が形成されるべき位置にレーザーを照射する。レーザーが照射された位置の絵柄部２２及び遮蔽部２３が除去される。除去された絵柄部２２及び遮蔽部２３の位置が、透過部２４となる。また、レーザー照射に替えて、針等による穿孔により絵柄部２２及び遮蔽部２３を除去することも考えられる。
【００３４】
あるいは、透過部２４は、フォトリソグラフィー技術を用いて形成されてもよい。フォトリソグラフィー技術を用いる形成方法では、まず、基材フィルム２１上の全面に絵柄部２２及び遮蔽部２３が設けられる。次に、絵柄部２２及び遮蔽部２３が設けられた側にフォトレジストが塗布される。その後、透過部２４が形成されるべき位置に穴が設けられたフォトマスクがフォトレジスト上に設けられる。そして、フォトマスク越しにフォトレジストを露光し、更に露光されたフォトレジストを現像する。この際、透過部２４が形成されるべき位置において、現像工程でフォトレジストが溶解する。次に、エッチング液に浸漬して、フォトレジストが除去された位置の絵柄部２２及び遮蔽部２３を除去する。除去された絵柄部２２及び遮蔽部２３の位置が、透過部２４となる。
【００３５】
あるいは、透過部２４は、メッシュプレス技術を用いて形成されてもよい。メッシュプレス技術を用いる形成方法では、まず、基材フィルム２１上の全面に絵柄部２２及び遮蔽部２３が設けられる。次に、線部及び開口部を有するメッシュ部材を、基材フィルム２１上の絵柄部２２及び遮蔽部２３にプレスした上で、基材フィルム２１から引き離す。このとき、メッシュ部材の線部に対向する領域の絵柄部２２及び遮蔽部２３は、基材フィルム２１上に残り、メッシュ部材の開口部に対向する領域の絵柄部２２及び遮蔽部２３は、開口部内に収納されて基材フィルム２１上から除去される。除去された絵柄部２２及び遮蔽部２３の位置が、透過部２４となる。
【００３６】
前述のとおり、装飾層２０は、基材フィルム２１と絵柄部２２及び遮蔽部２３と透過部２４とを有する加飾シートが、接着層２５を介して、又は、直接に、基体１０に積層されたものであってもよい。基体１０が樹脂からなり、かつ、三次元的な曲面を有する形状である場合、インサート成形法などの射出成形による基体の形成と同時に加飾シートを積層する工法が好適に用いられる。また、平面状の基体１０上に加飾シートを貼着した後に真空成形により曲面状に加工する方法や、三次元的な曲面を有する形状の基体１０に真空圧空により加飾シートを追従させながら被覆するオーバーラッピング法なども使用可能である。
【００３７】
装飾層２０の透過部２４は、装飾層２０の全領域に亘って設けられていてもよいが、背面側に撮影機器２が設置される領域のみに設けられていてもよい。前者であれば撮影機器２との位置合わせを考慮する必要がなくなり、また透過部２４が設けられた領域と設けられていない領域とで絵柄部２２の見え方に差が生じる虞がないため、意匠性に優れる。他方、後者であれば装飾層２０の一部のみに透過部２４を設ければよいので、レーザー照射や針等による穿孔によって絵柄部を除去する工程に要する時間が大幅に短縮され、製造効率の点で優位になる場合がある。
【００３８】
以上の構成を有する撮影機器付き装飾物品１００は、マンション、オフィス等の施設の入退場口の壁材又はパネルや、車両等の内装部材又は外装部材や、スマートフォン、タブレット等の電子デバイスとして使用することができる。撮影機器付き装飾物品１００は、単に像を撮影する目的で使用されてもよく、例えば、マンションの入場口に設置して来訪者を撮影して室内のモニターに動画を表示するなどの使用が可能である。他方、次に述べるように予め登録された像と照合することにより認証を行う認証システムに組み入れて使用することも好ましい態様である。
【００３９】
図３は、本実施形態の認証システム２００を概略的に示す側面図である。
【００４０】
本実施形態の認証システム２００は、本実施形態の撮影機器付き装飾物品１００と、制御部９０と、判定手段８０と、を有している。
【００４１】
制御部９０は、撮影機器付き装飾物品１００、判定手段８０及び外部機器（図示せず）のそれぞれの間での信号のやりとりを管理統制して、認証システムを制御する。図３に示す例では、認証システム２００の制御部９０は、撮影機器付き装飾物品１００の制御部９０と共通のものであるが、認証システム２００と撮影機器付き装飾物品１００とで制御部を異にするものであってもよい。
【００４２】
判定手段８０は、撮影機器２により撮影された像と、データベース８１に予め登録された像と、を照合判定する手段である。より具体的には、判定手段８０では、撮影機器２により撮影された像を、データベース８１に予め登録された像と照合し、合致不合致の判定や合致率の算出などの判定を行う。判定手段８０による判定結果は、ディスプレイ等の表示手段によって外部に表示するために用いられたり、機械の動作不動作を制御するために用いられたりする。判定手段８０としては公知の認証ソフトウェアを搭載したコンピュータを使用することができる。図３に示す例では、判定手段８０により照合される像は、人物の顔であるが、本発明の判定手段８０により照合される像は、これに限定されない。
【００４３】
このような認証システム２００は、施設の入退場口や車両のドア外部に設置して適正な来訪者や乗員の場合に限り自動的にゲートを開くか解錠を行う、車両の運転席に設置して適正な運転者の場合に限り自動的に電源をＯＮにする、電子デバイスのディスプレイの周辺に設置して使用者を認証して適正な使用者の場合に限り自動的に電源をＯＮにする、などの使用態様が想定される。撮影機器付き装飾物品１００の撮影機器２により撮影される像は、撮影対象Ｏと撮影機器２の間に装飾層２０が存在するにも関わらず高精度であるため、実用上十分な精度で認証を行うことができる。
【００４４】
図４は、変形例の撮影機器付き装飾物品１００を概略的に示す側面図である。図５Ａは、変形例の撮影機器付き装飾物品１００を概略的に示す正面図であり、表示機器３による画像を表示していない状態を示すものである。図５Ｂは、変形例の撮影機器付き装飾物品１００を概略的に示す正面図であり、表示機器３による画像を表示している状態を示すものである。
【００４５】
変形例の撮影機器付き装飾物品１００は、装飾物品本体１と、装飾物品本体１の背面側に配置された撮影機器２と、装飾物品本体１の背面側に配置された表示機器３と、入力機器４と、装飾物品本体１の背面側に配置された光源５と、を有している。この撮影機器付き装飾物品１００は、撮影機器付き装飾物品１００の外部又は内部に設けられた制御部９０により制御される。変形例の撮影機器付き装飾物品１００の装飾物品本体１及び撮影機器２は、本実施形態の撮影機器付き装飾物品１００の装飾物品本体１及び撮影機器２と同じである。
【００４６】
表示機器３は、画像光を出射することができる表示面３ａを有する機器である。表示機器３としては、液晶ディスプレイ、プラズマディスプレイ、有機ＥＬディスプレイ等の任意の表示機器を用いることができる。あるいは、表示機器３は、光を透過する印刷が施された透明なフィルム等を透過させて画像を表示するものや、光の一部を遮光物によって遮光して明暗を表示するものであってもよい。この場合、表示機器３は、光を発する光源及び印刷が施された透明なフィルムや遮光物を有している。
【００４７】
表示機器３の表示面３ａから発した画像光は、装飾物品本体１の基体１０と装飾層２０とを通過して、装飾物品本体１の画像表示面２０ａに表示されることになる。この画像表示面２０ａは、装飾層２０の表面における表示機器３の表示面３ａと対向する領域である。なお、画像表示面２０ａは、装飾層２０の透過部２４を通して表示機器３の表示面３ａからの画像光を表示する。
【００４８】
入力機器４は、キーボード、スイッチ、ボタン、タッチパネル、センサなど、撮影機器付き装飾物品１００に対する入力手段であって、外部からの入力を例えば電気信号として制御部９０に送信する機器である。図４に示す例では、撮影機器付き装飾物品１００の内部に入力機器４が設けられ、例えば筐体から一部分を露出させているが、撮影機器付き装飾物品１００の外部に入力機器４が設けられていてもよい。
【００４９】
光源５は、装飾物品本体１の正面側の撮影対象Ｏに光を照射するための光を発するものである。図４に示す例では、光源５は、装飾物品本体１の背面側に設けられ、とりわけ、撮影機器付き装飾物品１００の内部に設けられている。光源５からの光は、装飾層２０の透過部２４を通過して、撮影対象Ｏに到達する。そして、撮影対象Ｏからの反射光も、装飾層２０の透過部２４を通過して、撮影機器２に到達する。撮影対象Ｏに光を照射することにより、特に夜間などの暗い環境下においても、撮影機器２による高精度な画像又は映像の撮影が可能となる。
【００５０】
また、撮影機器２として赤外線カメラを用いることと合わせて、赤外線を発する光源５を用いてもよい。これにより、夜間などの暗い環境下において、より高精度な画像又は映像の撮影が可能となる。さらに、撮影機器２を通常のカメラと赤外線カメラとを切り替えて用いることができるものとすることにより、撮影環境（例えば、昼間と夜間）に応じて、異なるモードで撮影することができるものとなる。例えば、昼間などの明るい撮影環境下では、光源５を用いずに通常のカメラで撮影を行い、夜間などの暗い環境下では、撮影対象Ｏに赤外線を照射して、赤外線カメラで撮影を行うことが考えられる。
【００５１】
光源５は、基体１０及び装飾層２０における反射光が撮影機器２に映り込むことを防止する観点から、撮影機器２のエッジ部から５ｍｍ以上、好ましくは１５ｍｍ以上、さらに好ましくは３０ｍｍ以上離れている。また、光源５からの光が撮影対象に均一に照射されるようにするために、光源５は、複数設けられることが好ましい。
【００５２】
なお、光源５は、撮影機器付き装飾物品１００の正面側に設けられていてもよい。ただし、図４に示す例のように、装飾物品本体１の背面側であって、とりわけ撮影機器付き装飾物品１００の内部に光源５が設けられたものは、光源５が視認されにくく、美観に優れたものとなる。
【００５３】
このような変形例の撮影機器付き装飾物品１００は、撮影機器２と並べて表示機器３を配置することで、像の撮影だけでなく画像や映像を表示する機能を有する複合的な機能物品となっている。変形例の撮影機器付き装飾物品１００は、表示機器３が画像を表示していない場合は、装飾層２０の存在によって表示機器３が視認されにくく、美観を損ねることがない。また、表示機器３が画像を表示している場合は、表示機器３から発せられる画像光が透過部２４を透過して視認者に到達するため、絵柄部２２が間に介在するにも関わらず、表示される画像や映像を良好に視認することができる。さらに、装飾層２０に遮蔽部２３が存在することにより、表示機器３からの画像光が絵柄部２２へ入射することが妨げられ、絵柄部２２によって表される意匠と絵柄部２２を透過した画像光とが混合して観察されることを防止することができる。すなわち、絵柄部２２で特定波長域の可視光が吸収されることに起因して画像の色再現性が劣化することを効果的に防止することができる。
【００５４】
変形例の撮影機器付き装飾物品１００において、撮影機器２と表示機器３とは、互いに独立した機能を有するものであってもよいし、連携した機能を有するものであってもよい。例えば、撮影機器２によって撮影された像を表示機器３により表示するようにしてもよい。この例では、動画撮影機能を有する撮影機器（ビデオカメラ）２によって撮影対象の人物を撮影し、撮影した動画をリアルタイムで表示機器３に表示して撮影対象に視認させることで、鏡のような機能を発現することができる。鏡として使用しない時には表示機器３の表示をオフにしておけば装飾物品自体の外観となるので、鏡の存在を感じさせず、周囲との美観の調和を図ることができる。さらに、入力機器４としての近接センサを組み合わせて、近くに人がいない場合には表示機器３をオフにしておいて装飾物品自体の外観を表示させ、人の接近を感知した場合に表示機器３をオンにして映像を表示することで、通常の壁面であった箇所に近づくと突然鏡が表れたような印象を与えることができる。さらに別の例として、撮影機器２によって撮影された像を判定手段８０によって照合判定した結果を表示機器３により表示するようにしてもよい。
【００５５】
図６は、変形例の認証システム２００を概略的に示す側面図である。
【００５６】
変形例の認証システム２００は、変形例の撮影機器付き装飾物品１００と、制御部９０と、判定手段８０と、を有している。制御部９０及び判定手段８０の構成は、本実施形態の認証システム２００の制御部９０及び判定手段８０の構成と同じである。
【００５７】
変形例の認証システム２００は、撮影機器付き装飾物品１００の撮影機器２と表示機器３とが判定手段８０を介して連携した機能を有するものとなっている。変形例の認証システム２００では、撮影機器２によって撮影対象Ｏの人物を撮影して顔画像データを取得し、判定手段８０が取得された顔画像データを、顔画像を含む人物情報が登録されたデータベースと照合して、登録された人物であるか否かの判断を行う。その結果、データベースに登録された人物であると認証された場合、認証した旨のメッセージをデータベースに登録された情報（氏名、所属、登録されている顔画像等）と共に表示機器３によって表示し、撮影対象Ｏやその周囲の視認者に視認させる。他方、撮影された顔画像データがデータベースに登録されていない場合、未登録者である旨の判断結果を表示機器３によって表示する。撮影及び認証は、スイッチ等の入力機器４を操作することにより、手動で開始されるものであってもよいし、センサ等の入力機器４と組み合わせることにより、自動的に開始されるものであってもよい。センサ等を用いる場合、このセンサ等も装飾物品によって視認されないような位置に配置することができる。
【００５８】
このような変形例の認証システム２００は、より機能性及び意匠性の優れたものとなる。また、赤外線を発する光源５を配置し、撮影機器２として赤外線カメラを用いることにより、夜間などの暗い環境下においても、より正確な照合判定及び認証が可能なものとなる。
【００５９】
以上で説明したように、本実施形態及び変形例の撮影機器付き装飾物品１００及び認証システム２００は、カメラなどの撮影機器２が観察者から視認されにくく、高精度な画像又は映像を撮影可能であり、かつ、意匠性にも優れたものとなる。
【００６０】
以上、本発明の実施形態について説明したが、本発明の撮影機器付き装飾物品及び認証システムは上述の実施形態に限定されるものではない。本発明の撮影機器付き装飾物品及び認証システムは、その他の様々な形態で実施されることが可能であり、発明の要旨を逸脱しない範囲で、種々の省略、置き換え、変更を行うことができる。
【符号の説明】
【００６１】
１００  撮影機器付き装飾物品
９０  制御部
１  装飾物品本体
１０  基体
２０  装飾層
２１  基材フィルム
２２  絵柄部
２３  遮蔽部
２４  透過部
２５  接着層
２０ａ  画像表示面
２  撮影機器
３  表示機器
３ａ  表示面
４  入力機器
５  光源
２００  認証システム
８０  判定手段
８１  データベース
Ｏ  撮影対象
【図１】
2020187641.tif 000003
【図２】
2020187641.tif 000004
【図３】
2020187641.tif 000005
【図４】
2020187641.tif 000006
【図５Ａ】
2020187641.tif 000007
【図５Ｂ】
2020187641.tif 000008
【図６】
2020187641.tif 000009